(57)【特許請求の範囲】
【請求項１】
少なくとも２つの導通部材間に配置され前記導通部材間を導通させるコンタクト端子を複数有し、前記コンタクト端子は、平板からなり、前記導通部材のうち第１導通部材に一対の狭持部で接続される第１接続部と、他の前記導通部材に一対の狭持部で接続される第２接続部とを有する接続体であって、
前記第１接続部と前記第２接続部とは、前記平板の同一平面上で９０度異なる位置に配置され、前記第１接続部が前記第２接続部の板面から板厚方向に９０度異なる位置に配置され、
前記コンタクト端子を２つ有するコンタクト端子組は、このコンタクト端子組内において、２つの前記コンタクト端子のそれぞれの前記第１接触部が板厚方向に所定の第１間隔で並列に配置され、２つの前記コンタクト端子のそれぞれの前記第２接続部が２つの前記コンタクト端子のそれぞれの前記第１接続部を挟んで対向して配置されていることを特徴とする接続体。
【請求項２】
請求項１記載の接続体であって、
前記コンタクト端子組は、隣り合う前記コンタクト端子組間において、隣り合う前記コンタクト端子組のそれぞれの前記第２接続部が板厚方向と直交する方向に所定の第２間隔で並列に複数配置されていることを特徴とする接続体。
【請求項３】
請求項２記載の接続体であって、
前記第１間隔は、前記第２間隔より狭く設定されていることを特徴とする接続体。
【請求項４】
請求項１乃至３のいずれか１項に記載の接続体であって、
前記第１導通部材は、基板であり、前記他の導通部材は、被覆電線であり、前記第２接続部は、前記被覆電線が圧接される圧接刃であることを特徴とする接続体。
【発明の詳細な説明】
【技術分野】
【０００１】
本発明は、導通部材間を導通させるコンタクト端子を有する接続体に関する。
【背景技術】
【０００２】
従来、複数のコンタクト端子を有する接続体としては、導通部材としての配線基板に配置され配線基板間を導通させるコンタクト端子を複数有し、コンタクト端子が配線基板に半田付けされる端子部と、コンタクト端子同士を接続する接触部とを有するものが知られている（例えば、特許文献１参照）。
【０００３】
この接続体では、複数のコンタクト端子の端子部を所定間隔で並列に配置させ、接触部を隣接する接触部に向けて近づけて、或いは遠ざけて並列に配置させている。このように接触部の間隔を変更することにより、インピーダンスを整合して隣接するコンタクト端子間のノイズ伝達の防止のような電気的影響を抑制している。
【先行技術文献】
【特許文献】
【０００４】
【特許文献１】特開２００５−１４９７７０号公報
【発明の概要】
【発明が解決しようとする課題】
【０００５】
ところで、複数のコンタクト端子を有する接続体においては、隣り合うコンタクト端子の接続部同士の距離など、コンタクト端子の接続部の周辺環境が電気的に影響を及ぼす。このため、上記のような接続体では、隣り合うコンタクト端子の接続部の間隔を変更させている。
【０００６】
しかしながら、上記のような接続体では、電気的影響を抑制するために、コンタクト端子の接続部の間隔を狭めたり広げたりしているので、少なくとも形状の異なる３種類のコンタクト端子が必要となり、部品点数の増加や高コスト化してしまっていた。
【０００７】
そこで、この発明は、１種類のコンタクト端子で電気的影響を抑制することができる接続体の提供を目的としている。
【課題を解決するための手段】
【０００８】
請求項１記載の発明は、少なくとも２つの導通部材間に配置され前記導通部材間を導通させるコンタクト端子を複数有し、前記コンタクト端子は、平板からなり、前記導通部材のうち第１導通部材に一対の狭持部で接続される第１接続部と、他の前記導通部材に一対の狭持部で接続される第２接続部とを有する接続体であって、前記第１接続部と前記第２接続部とは、前記平板の同一平面上で９０度異なる位置に配置され、前記第１接続部が前記第２接続部の板面から板厚方向に９０度異なる位置に配置され、前記コンタクト端子を２つ有するコンタクト端子組は、このコンタクト端子組内において、２つの前記コンタクト端子のそれぞれの前記第１接触部が板厚方向に所定の第１間隔で並列に配置され、２つの前記コンタクト端子のそれぞれの前記第２接続部が２つの前記コンタクト端子のそれぞれの前記第１接続部を挟んで対向して配置されていることを特徴とする。
【０００９】
この接続体では、平板からなるコンタクト端子が、第１接続部と第２接続部とが同一平面上で９０度異なる位置に配置され、第１接続部が平面から板厚方向に９０度異なる位置に配置されているので、第１接続部と第２接続部との一対の狭持部における幅を同一平面上で直交させることができる。
【００１０】
このような１種類のコンタクト端子を２つ有するコンタクト端子組は、第１接続部が板厚方向に所定の第１間隔で並列に配置され、第２接続部が第１接続部を挟んで対向して配置されているので、一対の狭持部における幅が板厚と同一である第１接続部同士が近接して配置され、一対の狭持部における幅が第１接続部よりも広い第２接続部の両側には一方の第２接続部が存在していない。
【００１１】
従って、このような接続体では、コンタクト端子組において、第２接続部間の電気的影響を無視することができ、第１接続部間の第１間隔を調整して電気的影響を抑制すればよく、１種類のコンタクト端子で電気的影響を抑制することができる。
【００１２】
請求項２記載の発明は、請求項１記載の接続体であって、前記コンタクト端子組は、隣り合う前記コンタクト端子組間において、隣り合う前記コンタクト端子組のそれぞれの前記第２接続部が板厚方向と直交する方向に所定の第２間隔で並列に複数配置されていることを特徴とする。
【００１３】
この接続体では、第１接続部における電気的影響の抑制がなされているコンタクト端子組が第２接続部が板厚方向と直交する方向に所定の第２間隔で並列に複数配置されているので、複数のコンタクト端子間における電気的影響を抑制するために、第２接続部間の第２間隔を調整するだけでよく、複数のコンタクト端子を有する構成に対しても１種類のコンタクト端子で電気的影響を抑制することができる。
【００１４】
請求項３記載の発明は、請求項２記載の接続体であって、前記第１間隔は、前記第２間隔より狭く設定されていることを特徴とする。
【００１５】
この接続体では、第１間隔が第２間隔より狭く設定されているので、コンタクト端子組においてはコンタクト端子間の距離を狭めることができ、コンタクト端子組をコンパクト化することができる。
【００１６】
また、複数のコンタクト端子を有する接続体においては、第２間隔を電気的影響を抑制することができる範囲内でできるだけ狭く設定することにより、コンタクト端子組間の距離を狭めることができ、接続体をコンパクト化することができる。
【００１７】
請求項４記載の発明は、請求項１乃至３のいずれか１項に記載の接続体であって、前記第１導通部材は、基板であり、前記他の導通部材は、被覆電線であり、前記第２接続部は、前記被覆電線が圧接される圧接刃であることを特徴とする。
【００１８】
この接続体では、一対の狭持部における幅が第１接続部よりも広い第２接続部が被覆電線が圧接される圧接刃であるので、コンタクト端子組において、圧接刃の両側に一方の圧接刃が配置させることがなく、電気的影響を抑制することができる。
【００１９】
また、このような電気的影響が抑制されたコンタクト端子組を基板と被覆電線との間に配置されるコネクタに複数収容させる場合には、コンタクト端子組のコンタクト端子間を絶縁すると共に、コンタクト端子組間も絶縁することにより、各コンタクト端子間の距離を狭めることができ、コネクタをコンパクト化することができる。
【発明の効果】
【００２０】
本発明によれば、１種類のコンタクト端子で電気的影響を抑制することができる接続体を提供することができるという効果を奏する。
【図面の簡単な説明】
【００２１】
【図１】本発明の実施の形態に係る接続体のコンタクト端子の斜視図である。
【図２】本発明の実施の形態に係る接続体のコンタクト端子組の斜視図である。
【図３】本発明の実施の形態に係る接続体のコンタクト端子組を複数配置したときの斜視図である。
【発明を実施するための形態】
【００２２】
図１〜図３を用いて本発明の実施の形態に係る接続体について説明する。
【００２３】
本実施の形態に係る接続体１は、導通部材としてのＦＰＣなどの基板（不図示）と複数の被覆電線（不図示）との間に配置され基板と被覆電線間を導通させるコンタクト端子３を複数有し、コンタクト端子３は、平板からなり、第１導通部材としての基板に一対の狭持部５，７で接続される第１接続部９と、他の導通部材としての被覆電線に一対の狭持部１１，１３で接続される第２接続部１５とを有する。
【００２４】
また、第１接続部９と第２接続部１５とは、同一平面上で９０度異なる位置に配置され、第１接続部９が平面から板厚方向に９０度異なる位置に配置されている。
【００２５】
そして、コンタクト端子３を２つ有するコンタクト端子組１７は、第１接続部９，９が板厚方向に所定の第１間隔Ｐ１で並列に配置され、第２接続部１５，１５が第１接続部９，９を挟んで対向して配置されている。
【００２６】
また、コンタクト端子組１７は、第２接続部１５，１５が板厚方向と直交する方向に所定の第２間隔Ｐ２で並列に複数配置されている。
【００２７】
さらに、第１間隔Ｐ１は、第２間隔Ｐ２より狭く設定されている。
【００２８】
図１に示すように、コンタクト端子３は、平板状の導電性材料からなり、回路がプリントされたＦＰＣなどの基板と、電子部品などに接続された被覆電線との間に配置され、基板と被覆電線とを導通させる第１接続部９と第２接続部１５とを備えている。
【００２９】
第１接続部９は、一対の狭持部５，７が設けられている。この一対の狭持部５，７は、基板に形成された導体部を狭持し、コンタクト端子３と基板とが電気的に接続される。なお、第１接続部９が接続される基板は、インピーダンスの整合がなされている。この第１接続部９は、第２接続部１５と連続する一部材で形成されている。
【００３０】
第２接続部１５は、一対の狭持部１１，１３が設けられており、この一対の狭持部１１，１３は、圧接刃となっている。この圧接刃は、一対の狭持部１１，１３間に被覆電線を挿入することによって被覆電線の心線が圧接され、コンタクト端子３と被覆電線とが電気的に接続される。
【００３１】
このような第１接続部９と第２接続部１５とは、まず、平板を平面上に配置した状態で、９０度異なる位置に配置される。この状態から第１接続部９を板厚方向（起立方向）に第２接続部１５と９０度異なる位置に配置させる。このようなコンタクト端子３を２つ有することにより、コンタクト端子組１７が構成される。
【００３２】
コンタクト端子組１７は、第１接続部９，９が板厚方向に所定の第１間隔Ｐ１で、背合わせとなるように並列に配置され、第２接続部１５，１５が第１接続部９，９を挟んで対向して配置されている。
【００３３】
ここで、コンタクト端子３を２つ並列に配置させたとき、２つのコンタクト端子３，３における第１接続部９，９と第２接続部１５，１５との間の電気的影響は、その接続部の大きさと接続部間の距離に依存している。
【００３４】
このため、第１接続部９，９は、接続部における大きさ（一対の狭持部５，７の幅）が並列方向に対して板厚分しかないので、第１間隔Ｐ１をできる限り狭めることができる。この第１接続部９，９に対して、第２接続部１５，１５は、接続部における大きさ（一対の狭持部１１，１３の幅）が並列方向に対して第１接続部９，９よりも非常に大きくなっている。しかしながら、第２接続部１５，１５は、第１接続部９，９を挟んで対向配置、すなわち並列方向に隣接されていなので、コンタクト端子組１７においては、第２接続部１５，１５間の電気的影響を無視することができる。
【００３５】
このようなコンタクト端子組１７は、複数の第２接続部１５が板厚方向と直交する方向に所定の第２間隔Ｐ２で並列に複数（ここでは４組）配置されている。この第２間隔Ｐ２は、第２接続部１５の一対の狭持部１１，１３の幅が第１接続部９の一対の狭持部の幅（板厚）よりも広いので、１つのコンタクト端子組１７における第１接続部９，９の第１間隔Ｐ１よりも大きく設定されている。この第２間隔Ｐ２を複数の第２接続部１５間で電気的影響がないようにできる限り狭めることにより、複数のコンタクト端子３を有する接続体１をコンパクト化することができる。
【００３６】
このような接続体１は、絶縁性材料からなるコネクタ（不図示）に収容される。このコネクタに接続体１が収容された状態では、１つのコンタクト端子３がコネクタに形成された端子収容室にそれぞれ収容され、複数のコンタクト端子３間は絶縁されている。このようなコネクタに収容された接続体１は、第１接続部９が基板の導体部に接続され、第２接続部１５に被覆電線が圧接される。
【００３７】
このような１種類のコンタクト端子３を複数有する接続体１を介して基板と被覆電線とを接続することにより、電気長を短くすることができ、インピーダンス不整合部分を少なくすることができる。また、インピーダンス不整合部分が少なくなることで、伝送ロスや反射が小さくなり、高速伝送が可能となる。加えて、接続体１を小型化することができるので、接続体１を収容するコネクタも小型化することができる。
【００３８】
このような接続体１では、平板からなるコンタクト端子３が、第１接続部９と第２接続部１５とが同一平面上で９０度異なる位置に配置され、第１接続部９が平面から板厚方向に９０度異なる位置に配置されているので、第１接続部９の一対の狭持部５，７と第２接続部１５の一対の狭持部１１，１３とにおける幅を同一平面上で直交させることができる。
【００３９】
このような１種類のコンタクト端子３を２つ有するコンタクト端子組１７は、第１接続部９，９が板厚方向に所定の第１間隔Ｐ１で並列に配置され、第２接続部１５，１５が第１接続部９，９を挟んで対向して配置されているので、一対の狭持部５，７における幅が板厚と同一である第１接続部９，９同士が近接して配置され、一対の狭持部１１，１３における幅が第１接続部９よりも広い第２接続部１５，１５の両側には一方の第２接続部１５が存在していない。
【００４０】
従って、このような接続体１では、コンタクト端子組１７において、第２接続部１５，１５間の電気的影響を無視することができ、第１接続部９，９間の第１間隔Ｐ１を調整して電気的影響を抑制すればよく、１種類のコンタクト端子３で電気的影響を抑制することができる。
【００４１】
また、第１接続部９，９における電気的影響の抑制がなされているコンタクト端子組１７は、第２接続部１５，１５が板厚方向と直交する方向に所定の第２間隔Ｐ２で並列に複数配置されているので、複数のコンタクト端子３間における電気的影響を抑制するために、第２接続部１５，１５間の第２間隔Ｐ２を調整するだけでよく、複数のコンタクト端子３を有する構成に対しても１種類のコンタクト端子３で電気的影響を抑制することができる。
【００４２】
さらに、第１間隔Ｐ１は、第２間隔Ｐ２より狭く設定されているので、コンタクト端子組１７においてはコンタクト端子３間の距離を狭めることができ、コンタクト端子組１７をコンパクト化することができる。
【００４３】
また、複数のコンタクト端子３を有する接続体１においては、第２間隔Ｐ２を電気的影響を抑制することができる範囲内でできるだけ狭く設定することにより、コンタクト端子組１７間の距離を狭めることができ、接続体１をコンパクト化することができる。
【００４４】
さらに、一対の狭持部１１，１３における幅が第１接続部９よりも広い第２接続部１５は、被覆電線が圧接される圧接刃であるので、コンタクト端子組１７において、圧接刃の両側に一方の圧接刃が配置させることがなく、電気的影響を抑制することができる。
【００４５】
また、このような電気的影響が抑制されたコンタクト端子組１７を基板と被覆電線との間に配置されるコネクタに複数収容させる場合には、コンタクト端子組１７のコンタクト端子３間を絶縁すると共に、コンタクト端子組１７間も絶縁することにより、各コンタクト端子３間の距離を狭めることができ、コネクタをコンパクト化することができる。
【００４６】
なお、本発明の実施の形態に係る接続体では、第１接続部を板厚方向に並列に配置させているが、これに限らず、第２接続部を板厚方向に並列に配置させてもよい。この場合には、コンタクト端子組において、第１接続部が第２接続部を挟んで対向して配置されることになる。加えて、この場合には、第１接続部を圧接刃とすればよい。
【符号の説明】
【００４７】
１…接続体
３…コンタクト端子
５，７…一対の狭持部（第１接続部）
９…第１接続部
１１，１３…狭持部（第２接続部）
１５…第２接続部
１７…コンタクト端子組
Ｐ１…第１間隔
Ｐ２…第２間隔
【図１】
0005816065.tif 000002
【図２】
0005816065.tif 000003
【図３】
0005816065.tif 000004